(57)【要約】 【課題】      異なる形式の入力電源端子を具え、充電する場所の設備に合わせて入力電源端子を選択して充電できるとともに、電源を具えない室内または自動車の車内においても充電することができる充電装置を提供する。【解決手段】  充電回路を内設してなる本体に、交流電源端子と、直流電源端子と、電池を充電電源とする電池電源端子の３種類の異なる形式の入力電源端子を設け、且つこれら異なる形式の入力電源端子の入力電源端子を該本体内に設ける充電回路の対応する端子にそれぞれ電気的に接続する。【選択図】    図１２
0003107729.tif 000002
【実用新案登録請求の範囲】
【請求項１】
交流電源端子と、直流電源端子と、電池を充電電源とする電池電源端子の３種類の異なる形式の入力電源端子を具え、これら異なる形式の入力電源端子が、いずれも本体に設けられ、かつ該本体内に設ける充電回路の対応する端子にそれぞれ電気的に接続することを特徴とする充電装置。
【請求項２】
前記交流電源端子が、該本体の２枚歯の電源プラグに設けられることを特徴とする請求項１に記載の充電装置。
【請求項３】
前記直流電源端子が、自動車のシガレットライターのソケットに対応するシガレットライター用プラグであることを特徴とする請求項１に記載の充電装置。
【請求項４】
前記シガレットライター用プラグにプラグカバーを冠着し、該プラグカバーは一端に係合体を形成し、かつ該本体に軸方向にスライド溝を形成し、一端に該プラグカバーの係合体に対応する係合溝を形成し、他端に該本体のスライド溝内に摺動自在に設けられる凸軸を形成した連結桿によって、該プラグカバーと該本体とを連結することを特徴とする請求項３に記載の充電装置。
【請求項５】
前記電池電源端子が、積層電池に対応する電池接続口であることを特徴とする請求項１に記載の充電装置。
【請求項６】
前記電池接続口の上にカバーを係合させることを特徴とする請求項５に記載の充電装置。
【請求項７】
前記充電回路が、ＡＣ／ＤＣコンバータと、ＤＣ／ＤＣコンバータと、充電状態表示回路とを含み、該ＡＣ／ＤＣコンバータの入力端が、交流電源端子に電気的に接続し、該ＡＣ／ＤＣコンバータの出力端が該ＤＣ／ＤＣコンバータの入力端に電気的に接続し、該ＤＣ／ＤＣコンバータの出力端が直流電源端子と該電池電源端子に電気的に接続し、該ＤＣ／ＤＣコンバータの出力端が該充電状態表示回路の入力端に電気的に接続することを特徴とする請求項１に記載の充電装置。
【請求項８】
前記ＡＣ／ＤＣコンバータが、整流ユニットと、発振素子と、電圧降下変圧器と、出力整流ダイオードとを含んでなり、該整流ユニットの入力端が該交流電源端子に電気的に接続し、該整流ユニットの出力端が該発振素子の入力端に電気的に接続し、該発振素子の出力端が該電圧降下変圧器の一次極に電気的に接続し、別途二次極が出力整流ダイオードに直列した後、更にＤＣ／ＤＣコンバータの入力端に電気的に接続することを特徴とする請求項１に記載の充電装置。
【請求項９】
前記ＤＣ／ＤＣコンバータが、集積回路と、インダクタと、ダイオードと、フィルタコンデンサと、出力抵抗とによって構成される回路であって、該集積回路の六本のピンが該直流電源端子に電気的に接続し、該集積回路の２本のピンが、該インダクタの一端と該ダイオードの負極に電気的に接続し、該ダイオードの正極が接地であって、該インダクタの他端は出力抵抗と直列して充電出力端とし、かつ該充電出力端と、接地との間、及び該集積回路の六本のピンと接地との間にそれぞれ該フィルタコンデンサを接続することを特徴とする請求項７に記載の充電装置。
【請求項１０】
前記充電状態表示回路が、三極管と、二ＬＥＤと、ダイオードと、電流制限抵抗とを含んでなり、該三極管のベース電極が、該充電出力端に電気的に接続し、該三極管のエミッタが該ＤＣ／ＤＣコンバータの出力抵抗の他端に電気的に接続し、該三極管のコレクタが該二ＬＥＤの一正極に接続し、該ニＬＥＤの他の正極が該ダイオードの負極に電気的に接続し、該ダイオードの正極が該三極管のエミッタと電気的に接続し、該二ＬＥＤの負極が該電流制限抵抗に直列した後、接地することを特徴とする請求項７に記載の充電装置。
【考案の詳細な説明】
【技術分野】
【０００１】
本考案は、充電装置に関し、複数の異なる形式の入力電源端子を具え、携帯電話機用の電池、もしくはその他二次電池の充電に供する充電装置に関する。
【背景技術】
【０００２】
情報産業と関連する技術の急速な発展にともない、ノートブックタイプのコンピュータ、携帯電話機、パーソナル・ディジタルアシスト（ＰＤＡと称する）などのモバイルタイプの電子装置は、日常生活において頻繁に接するものとなっている。通常のモバイルタイプの電子装置は、一般に二次電池（例えばリチウム電池、ニッケル水素電池など）を具えていて、充電装置を介して充電を行い、これにより電子装置の必要とする電力が提供されている。
【０００３】
従来の携帯電話機の充電装置は、いずれもプラグを具える変圧器から電線が延伸し、該電線の一端が携帯電話の充電座に接続したものである。充電装置を使用する場合は、該変圧器のプラグを室内などに設けられたコンセントに挿入し、携帯電話機の充電座に携帯電話機を載置して携帯電話機の二次電池を充電し、携帯電話機が正常な機能を発揮できるようにしている。
【０００４】
しかし、上述する充電装置は、電源に接続できる屋内で使用するか、もしくは変圧器のプラグを自動車のシガレットライターに挿入するプラグに変換して自動車の走行中に使用するものである。よって、使用者が電源に接続できない場所、もしくは車内にいた場合、二次電池の電力が不足し、かつ予備の二次電池も使用できない状態にあれば、携帯電話機を使用することができなくなるという問題がある。
【考案の開示】
【考案が解決しようとする課題】
【０００５】
本考案の課題は、異なる形式の入力電源端子を具え、充電する場所の設備に合わせて入力電源端子を選択して充電を完成させることのできる充電装置を提供することにある。
【０００６】
また、本考案の課題は、電源を具えない室内または自動車の車内においても充電することができ、使用上便利な充電装置を提供することにある。
【課題を解決するための手段】
【０００７】
そこで本考案者は、従来の問題点に鑑み鋭意研究を重ねた結果、  交流電源端子と、直流電源端子と、電池を充電電源とする電池電源端子の３種類の異なる形式の入力電源端子を具え、これら異なる形式の入力電源端子の入力電源端子が、いずれも本体に設けられ、かつ該本体内に設ける充電回路の対応する端子にそれぞれ電気的に接続する充電装置の構造と、その製造方法によって課題を解決できる点に着眼し、かかる知見に基づき本考案を完成した。
以下、本考案について具体的に説明する。
【０００８】
請求項１に記載する充電装置は、交流電源端子と、直流電源端子と、電池を充電電源とする電池電源端子の３種類の異なる形式の入力電源端子を具え、これら異なる形式の入力電源端子の入力電源端子が、いずれも本体に設けられ、かつ該本体内に設ける充電回路の対応する端子にそれぞれ電気的に接続させたものである。
【０００９】
請求項２に記載する充電装置は、請求項１における交流電源端子が、該本体の２枚歯の電源プラグに設けられたものである。
【００１０】
請求項３に記載する充電装置は、請求項１における直流電源端子が、自動車のシガレットライターのソケットに対応するシガレットライター用プラグである。
【００１１】
請求項４に記載する充電装置は、請求項３におけるシガレットライター用プラグにプラグカバーを冠着し、該プラグカバーは一端に係合体を形成し、かつ該本体に軸方向にスライド溝を形成し、一端に該プラグカバーの係合体に対応する係合溝を形成し、他端に該本体のスライド溝内に摺動自在に設けられる凸軸を形成した連結桿によって、該プラグカバーと該本体とを連結したものである。
【００１２】
請求項５に記載する充電装置は、請求項１における電池電源端子が、積層電池に対応する電池接続口である。
【００１３】
請求項６に記載する充電装置は、請求項５における電池接続口の上にカバーを係合させたものである。
【００１４】
請求項７に記載する充電装置は、請求項１における充電回路が、ＡＣ／ＤＣコンバータと、ＤＣ／ＤＣコンバータと、充電状態表示回路とを含み、該ＡＣ／ＤＣコンバータの入力端が、交流電源端子に電気的に接続し、該ＡＣ／ＤＣコンバータの出力端が該ＤＣ／ＤＣコンバータの入力端に電気的に接続し、該ＤＣ／ＤＣコンバータの出力端が直流電源端子と該電池電源端子に電気的に接続し、該ＤＣ／ＤＣコンバータの出力端が該充電状態表示回路の入力端に電気的に接続させたものである。
【００１５】
請求項８に記載する充電装置は、請求項１におけるＡＣ／ＤＣコンバータが、整流ユニットと、発振素子と、電圧降下変圧器と、及び出力整流ダイオードを含んでなり、該整流ユニットの入力端が該交流電源端子に電気的に接続し、該整流ユニットの出力端が該発振素子の入力端に電気的に接続し、該発振素子の出力端が該電圧降下変圧器の一次極に電気的に接続し、別途二次極が出力整流ダイオードに直列した後、更にＤＣ／ＤＣコンバータの入力端に電気的に接続したものである。
【００１６】
請求項９に記載する充電装置は、請求項７におけるＤＣ／ＤＣコンバータが、集積回路と、インダクタと、ダイオードと、フィルタコンデンサと、及び出力抵抗とによって構成される回路であって、該集積回路の六本のピンが該直流電源端子に電気的に接続し、該集積回路の２本のピンが、該インダクタの一端と該ダイオードの負極に電気的に接続し、該ダイオードの正極が接地であって、該インダクタの他端は出力抵抗と直列して充電出力端とし、かつ該充電出力端と、接地との間、及び該集積回路の六本のピンと接地との間にそれぞれ該フィルタコンデンサを接続したものである。
【００１７】
請求項１０に記載する充電装置は、請求項７における充電状態表示回路が、三極管と、二ＬＥＤと、ダイオードと、電流制限抵抗とを含んでなり、該三極管のベース電極が、該充電出力端に電気的に接続し、該三極管のエミッタが該ＤＣ／ＤＣコンバータの出力抵抗の他端に電気的に接続し、該三極管のコレクタが該二ＬＥＤの一正極に接続し、該ニＬＥＤの他の正極が該ダイオードの負極に電気的に接続し、該ダイオードの正極が該３極管のエミッタと電気的に接続し、該二ＬＥＤの負極が該電流制限抵抗に直列した後、接地させたものである。
【考案の効果】
【００１８】
本考案の充電装置は、異なる形式の電源装置から充電するとともに、電源装置を設けない場所においても充電することができるため、使用上便利であるという利点がある。
【考案を実施するための最良の形態】
【００１９】
本考案は、複数の異なる形式の入力電源端子を具え、携帯電話機用の電池、もしくはその他二次電池の充電に供する充電装置を提供するものであって、交流電源端子と、直流電源端子と、電池を充電電源とする電池電源端子の３種類の異なる形式の入力電源端子を具え、これら異なる形式の入力電源端子の入力電源端子が、いずれも本体に設けられ、かつ該本体内に設ける充電回路の対応する端子にそれぞれ電気的に接続するように構成して、異なる形式の電源装置から充電という目的を実現した。
かかる構成の充電装置について、その構造と特徴を詳述するために具体的な実施例を挙げ、以下に説明する。
【実施例１】
【００２０】
図７は、本考案に係る充電装置の分解図である。図面によれば、本考案による充電装置は電源プラグ１と、シガレットライター用プラグ２と、電池接続口３と、本体４と、カバー５などによって構成され、三種類の異なる形式の入力電源端子を具える充電装置を提供するものであって、三種類の異なる形式入力電源端子の内の一を利用して充電を行うことができる。
【００２１】
図１から図１０に開示するように本体４上に３つの異なる形式の入力電源端子を設け、本体４内の充電回路の対応する端子にそれぞれ接続する。該３つの異なる形式の電源入力端子の一は１１０Ｖ（もしくは２２０Ｖ）の交流電気を提供する入力電源用の交流電源端子Ａ１である。本考案は本体４に設ける２枚歯式の電源プラグ１を交流電源端子Ａ１とし、従来の普通のソケットに挿入する。
【００２２】
他の電源入力端子は直流電源端子Ａ２であって、自動車のシガレットライターのソケットに対応する本体４の一端のシガレットライター用プラグ２に設けられる。該シガレットライター用プラグ２の両側と先端部にはいずれも電極２５を設ける。また、シガレットライター用プラグ２には、埃などが電極２５の間の隙間から本体４に進入することを防ぐためにプラグカバー２１を冠着する。該プラグカバー２１の一端には連結桿２２の一端に形成した係合溝２３に対応する係合体２６を形成する。かかる構造によりプラグカバー２１を連結桿２２に着脱自在に設けることができる。該連結桿２２の他端には凸軸２４を形成する。該凸軸２４は、本体４に軸方向にスライド溝４１を形成し、該スライド溝４１内に摺動自在に設ける。
【００２３】
その他の電源入力端子は、電池を充電の電源とする電池電源端子Ａ３であって、本体４の一端に積層電池に対応する電池接続口３を形成し、該電池接続口３に電池の正、負極に対応する係合部３１を形成する。別途電池接続口３の上にはカバー５を係合させる。カバー５の一端には係合ブロック５１を形成し、他端には係合フックを形成する。該係合ブロック５１と係合フック５２は、それぞれ本体４の対応する位置に形成した係合溝４２に係合させる。
【００２４】
本体４の前方の適宜な位置には挿入孔４３を形成する。該挿入孔は電線の接続に供して交流電源端子Ａ１、直流電源端子Ａ２及び電池電源端子Ａ３に提供する電力をガイドする。
【００２５】
図１１に開示するように、本考案による充電装置の充電回路はＡＣ／ＤＣコンバータ６と、ＤＣ／ＤＣコンバータ７と、充電状態表示回路８とを含む。ＡＣ／ＤＣコンバータ６の入力端は、交流電源端子Ａ１に電気的に接続する。ＡＣ／ＤＣコンバータ６の出力端はＤＣ／ＤＣコンバータ７の入力端に電気的に接続する。また、ＤＣ／ＤＣコンバータ７の出力端は，直流電源端子Ａ２と電池電源端子Ａ３に電気的に接続する。該ＤＣ／ＤＣコンバータ７の出力端は、充電状態表示回路８の入力端に電気的に接続する。
【００２６】
図１２に本考案の回路図を開示する。図面によればＡＣ／ＤＣコンバータ６は、整流ユニットＱ、発振素子６１、電圧降下変圧器Ｔ、及び出力整流ダイオードＤ３を含む。整流ユニットＱの入力端は、交流電源端子Ａ１に電気的に接続する。整流ユニットＱの出力端は発振素子６１の入力端に電気的に接続し、発振素子６１の出力端は、電圧降下変圧器Ｔの一次極に電気的に接続し、別途二次極が出力整流ダイオードＤ３に直列した後、更にＤＣ／ＤＣコンバータ７の入力端に電気的に接続する。発振素子６１は、二つの三極管Ｖ２、Ｖ３、電圧降下変圧器Ｔの一次極の２組のコイルによって構成される。
【００２７】
交流電源は、交流電源端子Ａ１から該回路の整流素子Ｑの入力端に接続し、コンデンサＣＸ、ＣＹを通過して干渉ノイズをろ過し、整流ユニットＱによって整流された後、発振素子６１の入力端に到り、安定した交流電圧を発生させ、電圧降下変圧器Ｔによってその二次極に伝送され、ダイオードＤ３によって整流されたあとＤＣ／ＤＣコンバータ７の出力端に伝送される。
【００２８】
ＤＣ／ＤＣコンバータ７は、集積回路ＩＣとインダクタＬと、ダイオードＤ１と、フィルタコンデンサＥ１、Ｅ２と、及び出力抵抗Ｒ９とによって構成される回路である。該集積回路ＩＣの六本のピンは、直流電源端子Ａ２に電気的に接続し、集積回路ＩＣの２本のピンは、インダクタＬの一端とダイオードＤ１の負極に電気的に接続する。該ダイオードＤ１の正極は接地であって、インダクタＬの他端は出力抵抗Ｒ９と直列して充電出力端ＯＵＴとする。該充電出力端ＯＵＴと、接地との間、及び集積回路ＩＣの六本のピンと接地との間にはそれぞれＥ１とＥ２とを接続する。該回路は、入力端に異なる電圧値の直流電源を接続し、約５Ｖの直流出力電圧に転換し、これを充電出力電圧とする。
【００２９】
充電状態表示回路８は、三極管Ｖ１と、二ＬＥＤと、ダイオードＤ２と、電流制限抵抗Ｒ４とを含んでなる。三極管Ｖ１のベース電極は、充電出力端ＯＵＴに電気的に接続し、該三極管Ｖ１のエミッタはＤＣ／ＤＣコンバータ７の出力抵抗Ｒ９の他端に電気的に接続する。三極管Ｖ１のコレクタと、二ＬＥＤの一正極に接続する。ニＬＥＤの他の正極はダイオードＤ２の負極に電気的に接続する。該ダイオードＤ２の正極は、３極管Ｖ１のエミッタと電気的に接続し、二ＬＥＤの負極は電流制限抵抗Ｒ４に直列した後、接地する。
【００３０】
該充電状態表示回路８の作用は、充電器が充電状態にあるか否かを表示するものである。即ち、充電出力端ＯＵＴが電流を出力しているか否かを表示する。その原理は次の通りである。即ち、充電器が充電状態にある場合、ＤＣ／ＤＣコンバータ７の出力抵抗Ｒ９内に電流が流れ、該出力抵抗Ｒ９に電位差が発生すると、三極管Ｖ１が通電状態となり、ＤＣ／ＤＣコンバータ７の出力電圧が二ＬＥＤ上方の一ＬＥＤに印加されて発光する。充電器が充電電圧の飽和状態にあるか、またはいかなる充電入力電源にも接続していない場合、出力抵抗Ｒ９内に電流が通過せずＤＣ／ＤＣコンバータ７の出力電圧は、ダイオードＤ２を介して二ＬＥＤの下方の他のＬＥＤに印加されて発光する。
【００３１】
本考案による充電装置は、構造が簡易で、形式の異なる三つの入力電源端子を備える。即ち交流電源端子、直流電源端子、及び電池電源端子の三つの異なる形式の入力電源端子から一つを選択し、入力電源に接続することによって充電を完成させることができ、使用上便利である。
【００３２】
以上は本考案の好ましい実施例であって、本考案の実施の範囲を限定するものではない。よって、当業者のなし得る修正または変更であって、本考案の効果に対して均等の効果を有するものは、いずれも本考案の範囲に属するものである。
【図面の簡単な説明】
【００３３】
【図１】本考案に係る充電装置の正面図である。
【図２】本考案に係る充電装置の平面図である。
【図３】本考案に係る充電装置の底面図である。
【図４】考案におけるプラグカバーと本体の関係を示した説明図である。
【図５】本考案におけるプラグカバーを冠着した状態を示した平面図である。
【図６】図５に開示する状態の底面図である。
【図７】本考案に係る充電装置の分解図である。
【図８Ａ】本考案におけるカバーの斜視図である。
【図８Ｂ】本考案に係るカバーの内側から見た斜視図である。
【図９】本考案における連結桿の斜視図である。
【図１０Ａ】本考案におけるプラグカバーの平面図である。
【図１０Ｂ】本考案におけるプラグカバーの底面図である。
【図１０Ｃ】図１０Ａの１００−１００線に沿った断面図である。
【図１１】本考案における充電回路の構造を表すブロック図である。
【図１２】本考案における充電回路の回路図である。
【符号の説明】
【００３４】
１    電源プラグ
２    シガレットライター用プラグ
２１    プラグカバー
２２    連結桿
２３    係合溝
２４    凸軸
２５    電極
２６    係合体
３    電池接続口
３１    係合部
４    本体
４１    スライド溝
４２    係合溝
４３    挿入孔４３
５    カバー
５１    係合ブロック
５２    係合フック
６    ＡＣ／ＤＣコンバータ
６１    発振素子
７    ＤＣ／ＤＣコンバータ
８    充電状態表示回路
Ａ１    交流電源端子
Ａ２    直流電源端子
Ａ３    電池電源端子
ＣＸ、ＣＹ  コンデンサ
Ｄ１、Ｄ２  ダイオード
Ｄ３    出力整流二次極管
Ｅ１、Ｅ２  フィルタコンデンサ
Ｌ      インダクタ
Ｑ      整流ユニット
Ｒ４    電流制限抵抗
Ｒ９    出力抵抗
Ｔ      電圧降下変圧器
Ｖ１、Ｖ２、Ｖ３  三極管
【図１】
0003107729.tif 000003
【図２】
0003107729.tif 000004
【図３】
0003107729.tif 000005
【図４】
0003107729.tif 000006
【図５】
0003107729.tif 000007
【図６】
0003107729.tif 000008
【図７】
0003107729.tif 000009
【図８Ａ】
0003107729.tif 000010
【図８Ｂ】
0003107729.tif 000011
【図９】
0003107729.tif 000012
【図１０Ａ】
0003107729.tif 000013
【図１０Ｂ】
0003107729.tif 000014
【図１０Ｃ】
0003107729.tif 000015
【図１１】
0003107729.tif 000016
【図１２】
0003107729.tif 000017